(57)【特許請求の範囲】
【請求項１】
画素毎にディジタル化された画像情報を編集する画像編集方法であって、
ディジタル画像情報を暗号化する第１の暗号化鍵を作成するステップと、
前記第１の暗号化鍵により画素毎のディジタル情報を暗号化するステップと、
前記第１の暗号化鍵を、システムで指定され、暗号・復号化装置に内蔵された秘匿暗号化鍵であるマスターキーにより暗号化して第２の暗号化鍵を作成するステップと、
前記第２の暗号化鍵を指定された編集者に通知するステップと、
指定された編集者によって第２の暗号化鍵が前記暗号・復号化装置に入力されると、前記第２の暗号化鍵を前記秘匿暗号化鍵によって第１の暗号化鍵に復号化するステップと、
前記復号化された第１の暗号化鍵により編集対象の暗号化画像データを復号化してアナログ画像として表示するステップと、
画素の位置の移動情報に基づき、移動前の、暗号化された画素情報で移動先の暗号化された画素情報を置換することによって画素の移動を行うステップとを有する画像編集方法。
【請求項２】
変更された画素情報を入力、暗号化し、該暗号化された画素情報で変更対象の画素情報を置換することにより画素の内容を変更するステップをさらに有する請求項１に記載の画像編集方法。
【請求項３】
画素毎にディジタル化された画像情報を編集する画像編集システムであって、
ディジタル画像情報を暗号化する第１の暗号化鍵を作成し、前記第１の暗号化鍵により画素毎のディジタル情報を暗号化するとともに、前記第１の暗号化鍵を、システムで指定され、内蔵された秘匿暗号化鍵であるマスターキーにより暗号化して第２の暗号化鍵を作成し、該第２の暗号化鍵を指定された編集者に通知し、指定された編集者によって第２の暗号化鍵が入力されると、前記第２の暗号化鍵を前記秘匿暗号化鍵によって第１の暗号化鍵に復号化する暗号・符号化装置と、
前記復号化された第１の暗号化鍵により編集対象の暗号化画像データを復号化してアナログ画像として表示する表示装置と、
画素の位置の移動情報に基づき、移動前の、暗号化された画素情報で移動先の暗号化された画素情報を置換することによって画素の移動を行う編集装置とを有する画像編集システム。
【請求項４】
前記編集装置は、変更された画素情報を入力、暗号化し、該暗号化された画素情報で変更対象の画素情報を置換することにより画素の内容を変更する手段をする、請求項３に記載の画像編集システム。
【発明の詳細な説明】
【０００１】
【発明の属する技術分野】
本発明は、画像編集方法に関し、特に、画像情報が他に漏洩しないようにして編集する編集方法に関する。
【０００２】
【従来の技術】
従来、画像の編集するための装置は開発されているが該当する画像情報が他に漏洩しないようにして、編集許可を受けた者のみが該当する画像を編集する方法は提案されていなかった。
【０００３】
【発明が解決しようとする課題】
本発明の目的は、特定の画像に対して編集する認可を受けた者のみが画像を編集することができるような画像編集方法およびシステムを提供することである。
【０００４】
【課題を解決するための手段】
本発明の画像編集方法は、暗号技術を用いて該当する画像の編集許可を受けた者のみが該当する画像の編集が行えるようにする。つまり、画像は暗号化されており、許可を受けた者のみがそれを復号化することができる。ところが、復号化された画像情報がディジタル情報である場合、その復号化情報が認可無しに流通する恐れがある。
【０００５】
そこで、復号化された画像情報はアナログ情報となるようにして、監視可能とする。一方、画像を編集するためにはディジタル情報のままで行うことにより編集後の画像をディジタル情報として保存、転送できる。また、ディジタル情報に固有の編集処理も可能である。このため、暗号化を画素毎に行うことにより、暗号化されたままで画像のある部分の移動や削除等の処理を行うことができる。
【０００６】
また、ある部分を変更するためには、変更する画素を暗号化しそれを該当箇所に埋め込む（上書きする）。
【０００７】
上記を実現するために、本発明の画像編集方法は、画素毎にディジタル化された画像情報を編集する画像編集方法であって、ディジタル画像情報を暗号化する第１の暗号化鍵を作成するステップと、前記第１の暗号化鍵により画素毎のディジタル情報を暗号化するステップと、前記第１の暗号化鍵を、システムで指定され、暗号・復号化装置に内蔵された秘匿暗号化鍵であるマスターキーにより暗号化して第２の暗号化鍵を作成するステップと、前記第２の暗号化鍵を指定された編集者に通知するステップと、指定された編集者によって第２の暗号化鍵が前記暗号・復号化装置に入力されると、前記第２の暗号化鍵を前記秘匿暗号化鍵によって第１の暗号鍵に復号化するステップと、前記復号化された第１の暗号化鍵により編集対象の暗号化画像データを復号化してアナログ画像として表示するステップと、画素の位置の移動情報に基づき、移動前の、暗号化された画素情報で移動先の暗号化された画素情報を置換することによって画素の移動を行うステップを有する。なお、変更された画素情報を入力、暗号化し、該暗号化された画素情報で変更対象の画素を置換することにより画素の内容を変更するステップをさらに有してもよい。
【０００８】
また、本発明の画像編集システムは、画素毎にディジタル化された画像情報を編集する画像編集システムであって、
ディジタル画像情報を暗号化する第１の暗号化鍵を作成し、前記第１の暗号化鍵により画素毎のディジタル情報を暗号化するとともに、前記第１の暗号化鍵を、システムで指定され、内蔵された秘匿暗号化鍵であるマスターキーにより暗号化して第２の暗号化鍵を作成し、該第２の暗号化鍵を指定された編集者に通知し、指定された編集者によって第２の暗号化鍵が入力されると、前記第２の暗号化鍵を前記秘匿暗号化鍵によって第１の暗号化鍵に復号化する暗号・符号化装置と、
前記復号化された第１の暗号化鍵により編集対象の暗号化画像データを復号化してアナログ画像として表示する表示装置と、
画素の位置の移動情報に基づき、移動前の、暗号化された画素情報で移動先の暗号化された画素情報を置換することによって画素の移動を行う編集装置とを有する。
【０００９】
【発明の実施の形態】
図１はこの発明の画像編集方法の原理を示す構成図である。図１は編集装置１と、その入出力装置２と、暗号・復号化装置３と、表示装置４が接続されている場合を表す。
【００１０】
編集装置１は、ディジタル画像情報を編集する装置であり、通常のワークステーションやパーソナルコンピュータ等の上で動く画像編集用のソフトウエアにより実現できる。このとき、編集装置１にはキーボードやマウス等の入出力装置２が接続されている。
【００１１】
暗号・復号化装置３は、暗号化されたディジタル画像情報が入力されると、それを復号化してアナログ画像情報を出力し（モード１）、また、ディジタル画素情報が入力されると、それを暗号化して、暗号化されたディジタル画像情報を出力する（モード２）。
【００１２】
表示装置４は、アナログ画像情報を表示する。
【００１３】
以下に編集作業の手順について図２、図３、図４およびフロ−チャ−ト図５（ａ），（ｂ），（ｃ）を用いて説明する。
【００１４】
まず、システムを管理する者は全ての暗号・復号化装置３に共通のマスターキーＫＭを秘密に格納しておく。
【００１５】
図２に示すように、原画像を作成した者５はその画像を暗号化するための鍵である画像鍵Ｋを暗号鍵作成器６を使用して作成し、作成した画像鍵Ｋと暗号器７により画像を暗号化する。この暗号化の手順は、第一に原画像を画素ｂｉｊ（ｉ＝１，２，・・・Ｉ；ｊ＝１，２，・・・Ｊ）に分解してディジタル情報として表現する（ステップ１１）。次に、作成者５は、画像の各画素のディジタル情報を暗号化する画像鍵Ｋを暗号鍵作成器６を使用して作成する（ステップ１２）。その画像鍵Ｋと暗号器７を使って画素単位で暗号化し、暗号化画素ＥＫ（ｂｉｊ，ｒｉｊ）を得る（ステップ１３）。ここで、ｒｉｊは乱数とする。また、作成者は暗号器７を用い、マスターキーＫＭで画像鍵Ｋを暗号化し、暗号化画像鍵ＥＫＭ（Ｋ）を得る（ステップ１４）。作成者５から許可を受けた編集者がマスターキーで暗号化された暗号化画像鍵ＥＫＭ（Ｋ）を受け取る（ステップ１５）。
【００１６】
許可を受けた編集者は図３に示すように、その暗号化画像鍵ＥＫＭ（Ｋ）を暗号・復号化装置３に入力して画像鍵Ｋをセットし（ステップ１６）、画素毎に暗号化された暗号化画素情報｛ＥＫ（ｂｉｊ，ｒｉｊ）｝を暗号・復号化装置３に入力し、同時にモード１であることを示すパラメータも入力する（ステップ１７）。暗号・復号化装置３はモード１の復号により復号化されたアナログ画像情報｛ｂｉｊ｝を出力し、表示装置４に画像を表示する（ステップ１８）。
【００１７】
また、編集者は入出力装置２を通じて、画素位置の移動等の指示情報を編集装置１に入力し、モード２のパラメータを入力すると（ステップ２１）、編集装置１は該情報を暗号・復号化装置３を介して暗号化して画素毎に暗号化画素情報ＥＫ（ｂｉｊ，ｒｉｊ）を得て（ステップ２２）、該暗号化されたままの画素情報を暗号化画像情報内の該当画素として登録することにより移動等の編集を行う（ステップ２３）。
【００１８】
さらに、図４に示すように、画像の一部ｂｉｊをｂ’ｉｊに変更するような編集の場合は、編集者が入出力装置２より変更指示情報を入力すると（ステップ３１）、編集装置１は、変更されたディジタル画素情報ｂ’ｉｊを暗号・復号化装置３に入力し、モード２パラメータも入力して、暗号化された画素情報ＥＫ（ｂ’ｉｊ，ｒ’ｉｊ）を得る（ステップ３２）。編集装置１は、それを暗号化された画像情報の中で該当する変更画素に対して置換登録する（場所に埋め込む）（ステップ３３）。つまり、画素ＥＫ（ｂｉｊ，ｒｉｊ）を画素ＥＫ（ｂ’ｉｊ，ｒ’ｉｊ）に変更する。
【００１９】
また、その変更結果を見る場合は、編集装置１からモード１パラメータと、｛ＥＫ（ｂ’ｉｊ，ｒ’ｉｊ）｝を暗号・復号化装置３に入力させ、それによりアナログ情報｛ｂ’ｉｊ｝出力させ表示装置４に表示させる。
【００２０】
【発明の効果】
本発明の方法により、作成者の許可を得ていない利用者は復号化するための鍵を持っていないために編集作業をすることができない。また、編集作業のいずれの過程においても復号化されたディジタル画像がそのまま出力されることがなく、また、暗号・復号化装置が表示のために画像を復号化した出力はアナログであるため、原画像と同じ品質でそのコピーが流通することを防ぐことができる。
【図面の簡単な説明】
【図１】本発明の画像編集方法の原理を示す構成図である。
【図２】原画像より暗号化画像を作成する手順を示す図である。
【図３】移動などの編集を行う手順を示す図である。
【図４】変更等の編集を行う手順を示す図である。
【図５】本発明の画像編集方法のフローチャートで、（ａ）は暗号化からモード１の復号化へのフローを示し、（ｂ）は画素の位置移動の編集フローを示し、（ｃ）は画像の部分変更の編集フローを示す図である。
【符号の説明】
１    編集装置
２    入出力装置
３    暗号・復号化装置
４    表示装置
５    画像作成者
６    暗号鍵作成器
７    暗号器
【図１】
0003553733.tif 000002
【図２】
0003553733.tif 000003
【図３】
0003553733.tif 000004
【図４】
0003553733.tif 000005
【図５】
0003553733.tif 000006